(57)【要約】【課題】トランスの損失についての測定精度の向上を図る。【解決手段】第１波形検出処理６２〜電流位相補正値算出処理６７を実行して、各電圧検出器のうちの基準電圧検出器の基準電圧波形に、残りの電圧検出器の電圧波形を揃えるための電圧補正係数および電圧位相補正値を求めると共に、各電流検出器のうちの基準電流検出器の基準電流波形に、残りの電流検出器の電流波形を揃えるための電流補正係数および電流位相補正値を求め、第２波形検出処理６９において基準電圧検出器および基準電流検出器で検出された電圧波形および電流波形と、電圧波形補正処理７０において電圧補正係数および電圧位相補正値を用いて求めた残りの電圧検出器についての補正電圧波形と、電流波形補正処理７１において電流補正係数および電流位相補正値を用いて求めた残りの電流検出器についての補正電流波形とに基づいて損失測定処理７２を実行してトランスの損失を測定する。【選択図】図３
2018194421.tif 000002
【特許請求の範囲】
【請求項１】
１個の一次巻線およびｎ個（ｎは１以上の整数）の二次巻線が共通の磁気コアに施されて構成されたトランスについての全損を、振幅および周波数がそれぞれ一定の交流入力信号が前記一次巻線に供給された状態において測定するトランス損失測定装置であって、
（ｎ＋１）個の電圧検出器および（ｎ＋１）個の電流検出器が前記一次巻線に装着された状態において前記交流入力信号が当該一次巻線に供給されたときに、当該一次巻線間に生じる入力電圧の電圧波形を当該（ｎ＋１）個の電圧検出器で検出すると共に当該電圧検出器のそれぞれに対応させて記憶し、かつ当該一次巻線に流れる入力電流の電流波形を当該（ｎ＋１）個の電流検出器で検出すると共に当該電流検出器のそれぞれに対応させて記憶する第１波形検出処理と、
前記（ｎ＋１）個の電圧検出器のうちの任意の１つを基準電圧検出器とすると共に当該基準電圧検出器で検出された前記電圧波形を基準電圧波形として、当該基準電圧波形についての特定の電圧パラメータ値に残りの電圧検出器で検出された前記電圧波形についての当該特定の電圧パラメータ値を揃えるための電圧補正係数を当該残りの電圧検出器毎に求める電圧補正係数算出処理と、
前記（ｎ＋１）個の電流検出器のうちの任意の１つを基準電流検出器とすると共に当該基準電流検出器で検出された前記電流波形を基準電流波形として、当該基準電流波形についての特定の電流パラメータ値に残りの電流検出器で検出された前記電流波形についての当該特定の電流パラメータ値を揃えるための電流補正係数を当該残りの電流検出器毎に求める電流補正係数算出処理と、
前記基準電圧波形の位相に前記残りの電圧検出器で検出された前記電圧波形の位相を揃えるための電圧位相補正値を、当該残りの電圧検出器毎に求める電圧位相補正値算出処理と、
前記基準電流波形の位相に前記残りの電流検出器で検出された前記電流波形の位相を揃えるための電流位相補正値を、当該残りの電流検出器毎に求める電流位相補正値算出処理と、
前記（ｎ＋１）個の電圧検出器が前記一次巻線および前記ｎ個の二次巻線に１個ずつ装着されると共に前記（ｎ＋１）個の電流検出器が当該一次巻線および当該ｎ個の二次巻線に１個ずつ装着された状態において前記交流入力信号が当該一次巻線に供給されたときに、当該一次巻線間に生じる入力電圧の電圧波形、および当該ｎ個の二次巻線間にそれぞれ生じる出力電圧の電圧波形を当該電圧検出器で検出すると共に当該電圧検出器のそれぞれに対応させて記憶し、かつ当該一次巻線に流れる入力電流の電流波形、および当該ｎ個の二次巻線にそれぞれ流れる出力電流の電流波形を当該電流検出器で検出すると共に当該電流検出器のそれぞれに対応させて記憶する第２波形検出処理と、
前記第２波形検出処理において検出した前記各電圧波形のうちの前記残りの電圧検出器で検出された各電圧波形を、対応する電圧検出器の前記電圧補正係数および前記電圧位相補正値で補正すると共に補正電圧波形として当該電圧検出器に対応させて記憶する電圧波形補正処理と、
前記第２波形検出処理において検出した前記各電流波形のうちの前記残りの電流検出器で検出された各電流波形を、対応する電流検出器の前記電流補正係数および前記電流位相補正値で補正すると共に補正電流波形として当該電流検出器に対応させて記憶する電流波形補正処理と、
前記第２波形検出処理において前記基準電圧検出器で検出された電圧波形、前記第２波形検出処理において前記基準電流検出器で検出された電流波形、前記電圧波形補正処理で前記残りの電圧検出器に対応させて記憶した補正電圧波形、および前記電流波形補正処理で前記残りの電流検出器に対応させて記憶した補正電流波形に基づいて、前記トランスについての前記全損を測定する損失測定処理とを実行するトランス損失測定装置。
【請求項２】
１個の一次巻線およびｎ個（ｎは１以上の整数）の二次巻線が共通の磁気コアに施されて構成されたトランスについての損失を、前記磁気コアに１個の検出巻線が施され、かつ振幅および周波数がそれぞれ一定の交流入力信号が前記一次巻線に供給された状態において測定するトランス損失測定装置であって、
（ｎ＋２）個の電圧検出器および（ｎ＋１）個の電流検出器が前記一次巻線に装着された状態において前記交流入力信号が当該一次巻線に供給されたときに、当該一次巻線間に生じる入力電圧の電圧波形を当該（ｎ＋２）個の電圧検出器で検出すると共に当該電圧検出器のそれぞれに対応させて記憶し、かつ当該一次巻線に流れる入力電流の電流波形を当該（ｎ＋１）個の電流検出器で検出すると共に当該電流検出器のそれぞれに対応させて記憶する第１波形検出処理と、
前記（ｎ＋２）個の電圧検出器のうちの任意の１つを基準電圧検出器とすると共に当該基準電圧検出器で検出された前記電圧波形を基準電圧波形として、当該基準電圧波形についての特定の電圧パラメータ値に残りの電圧検出器で検出された前記電圧波形についての当該特定の電圧パラメータ値を揃えるための電圧補正係数を当該残りの電圧検出器毎に求める電圧補正係数算出処理と、
前記（ｎ＋１）個の電流検出器のうちの任意の１つを基準電流検出器とすると共に当該基準電流検出器で検出された前記電流波形を基準電流波形として、当該基準電流波形についての特定の電流パラメータ値に残りの電流検出器で検出された前記電流波形についての当該特定の電流パラメータ値を揃えるための電流補正係数を当該残りの電流検出器毎に求める電流補正係数算出処理と、
前記基準電圧波形の位相に前記残りの電圧検出器で検出された前記電圧波形の位相を揃えるための電圧位相補正値を、当該残りの電圧検出器毎に求める電圧位相補正値算出処理と、
前記基準電流波形の位相に前記残りの電流検出器で検出された前記電流波形の位相を揃えるための電流位相補正値を、当該残りの電流検出器毎に求める電流位相補正値算出処理と、
前記（ｎ＋２）個の電圧検出器が前記一次巻線、前記ｎ個の二次巻線および前記検出巻線に１個ずつ装着されると共に前記（ｎ＋１）個の電流検出器が当該一次巻線および当該ｎ個の二次巻線に１個ずつ装着された状態において前記交流入力信号が当該一次巻線に供給されたときに、当該一次巻線間に生じる入力電圧の電圧波形、当該ｎ個の二次巻線間にそれぞれ生じる出力電圧の電圧波形、および当該検出巻線間に生じる検出電圧の電圧波形を当該電圧検出器で検出すると共に当該電圧検出器のそれぞれに対応させて記憶し、かつ当該一次巻線に流れる入力電流の電流波形、および当該ｎ個の二次巻線にそれぞれ流れる出力電流の電流波形を当該電流検出器で検出すると共に当該電流検出器のそれぞれに対応させて記憶する第２波形検出処理と、
前記第２波形検出処理において検出した前記各電圧波形のうちの前記残りの電圧検出器で検出された各電圧波形を、対応する電圧検出器の前記電圧補正係数および前記電圧位相補正値で補正すると共に補正電圧波形として当該電圧検出器に対応させて記憶する電圧波形補正処理と、
前記第２波形検出処理において検出した前記各電流波形のうちの前記残りの電流検出器で検出された各電流波形を、対応する電流検出器の前記電流補正係数および前記電流位相補正値で補正すると共に補正電流波形として当該電流検出器に対応させて記憶する電流波形補正処理と、
前記第２波形検出処理において前記基準電圧検出器で検出された電圧波形、前記第２波形検出処理において前記基準電流検出器で検出された電流波形、前記電圧波形補正処理で前記残りの電圧検出器に対応させて記憶した補正電圧波形、および前記電流波形補正処理で前記残りの電流検出器に対応させて記憶した補正電流波形に基づいて、前記トランスについての前記損失を測定する損失測定処理とを実行するトランス損失測定装置。
【請求項３】
１個の一次巻線およびｎ個（ｎは１以上の整数）の二次巻線が共通の磁気コアに施されて構成されたトランスについての全損を、振幅および周波数がそれぞれ一定の交流入力信号を前記一次巻線に供給して測定するトランス損失測定方法であって、
（ｎ＋１）個の電圧検出器および（ｎ＋１）個の電流検出器が前記一次巻線に装着された状態において前記交流入力信号を当該一次巻線に供給したときに、当該一次巻線間に生じる入力電圧の電圧波形を当該（ｎ＋１）個の電圧検出器で検出すると共に当該電圧検出器のそれぞれに対応させて記憶し、かつ当該一次巻線に流れる入力電流の電流波形を当該（ｎ＋１）個の電流検出器で検出すると共に当該電流検出器のそれぞれに対応させて記憶する第１波形検出処理と、
前記（ｎ＋１）個の電圧検出器のうちの任意の１つを基準電圧検出器とすると共に当該基準電圧検出器で検出された前記電圧波形を基準電圧波形として、当該基準電圧波形についての特定の電圧パラメータ値に残りの電圧検出器で検出された前記電圧波形についての当該特定の電圧パラメータ値を揃えるための電圧補正係数を当該残りの電圧検出器毎に求める電圧補正係数算出処理と、
前記（ｎ＋１）個の電流検出器のうちの任意の１つを基準電流検出器とすると共に当該基準電流検出器で検出された前記電流波形を基準電流波形として、当該基準電流波形についての特定の電流パラメータ値に残りの電流検出器で検出された前記電流波形についての当該特定の電流パラメータ値を揃えるための電流補正係数を当該残りの電流検出器毎に求める電流補正係数算出処理と、
前記基準電圧波形の位相に前記残りの電圧検出器で検出された前記電圧波形の位相を揃えるための電圧位相補正値を、当該残りの電圧検出器毎に求める電圧位相補正値算出処理と、
前記基準電流波形の位相に前記残りの電流検出器で検出された前記電流波形の位相を揃えるための電流位相補正値を、当該残りの電流検出器毎に求める電流位相補正値算出処理と、
前記（ｎ＋１）個の電圧検出器が前記一次巻線および前記ｎ個の二次巻線に１個ずつ装着されると共に前記（ｎ＋１）個の電流検出器が当該一次巻線および当該ｎ個の二次巻線に１個ずつ装着された状態において前記交流入力信号を当該一次巻線に供給したときに、当該一次巻線間に生じる入力電圧の電圧波形、および当該ｎ個の二次巻線間にそれぞれ生じる出力電圧の電圧波形を当該電圧検出器で検出すると共に当該電圧検出器のそれぞれに対応させて記憶し、かつ当該一次巻線に流れる入力電流の電流波形、および当該ｎ個の二次巻線にそれぞれ流れる出力電流の電流波形を当該電流検出器で検出すると共に当該電流検出器のそれぞれに対応させて記憶する第２波形検出処理と、
前記第２波形検出処理において検出した前記各電圧波形のうちの前記残りの電圧検出器で検出された各電圧波形を、対応する電圧検出器の前記電圧補正係数および前記電圧位相補正値で補正すると共に補正電圧波形として当該電圧検出器に対応させて記憶する電圧波形補正処理と、
前記第２波形検出処理において検出した前記各電流波形のうちの前記残りの電流検出器で検出された各電流波形を、対応する電流検出器の前記電流補正係数および前記電流位相補正値で補正すると共に補正電流波形として当該電流検出器に対応させて記憶する電流波形補正処理と、
前記第２波形検出処理において前記基準電圧検出器で検出された電圧波形、前記第２波形検出処理において前記基準電流検出器で検出された電流波形、前記電圧波形補正処理で前記残りの電圧検出器に対応させて記憶した補正電圧波形、および前記電流波形補正処理で前記残りの電流検出器に対応させて記憶した補正電流波形に基づいて、前記トランスについての前記全損を測定する損失測定処理とを実行するトランス損失測定方法。
【請求項４】
１個の一次巻線およびｎ個（ｎは１以上の整数）の二次巻線が共通の磁気コアに施されて構成されたトランスについての損失を、前記磁気コアに１個の検出巻線を施すと共に、振幅および周波数がそれぞれ一定の交流入力信号を前記一次巻線に供給して測定するトランス損失測定方法であって、
（ｎ＋２）個の電圧検出器および（ｎ＋１）個の電流検出器が前記一次巻線に装着された状態において前記交流入力信号を当該一次巻線に供給したときに、当該一次巻線間に生じる入力電圧の電圧波形を当該（ｎ＋２）個の電圧検出器で検出すると共に当該電圧検出器のそれぞれに対応させて記憶し、かつ当該一次巻線に流れる入力電流の電流波形を当該（ｎ＋１）個の電流検出器で検出すると共に当該電流検出器のそれぞれに対応させて記憶する第１波形検出処理と、
前記（ｎ＋２）個の電圧検出器のうちの任意の１つを基準電圧検出器とすると共に当該基準電圧検出器で検出された前記電圧波形を基準電圧波形として、当該基準電圧波形についての特定の電圧パラメータ値に残りの電圧検出器で検出された前記電圧波形についての当該特定の電圧パラメータ値を揃えるための電圧補正係数を当該残りの電圧検出器毎に求める電圧補正係数算出処理と、
前記（ｎ＋１）個の電流検出器のうちの任意の１つを基準電流検出器とすると共に当該基準電流検出器で検出された前記電流波形を基準電流波形として、当該基準電流波形についての特定の電流パラメータ値に残りの電流検出器で検出された前記電流波形についての当該特定の電流パラメータ値を揃えるための電流補正係数を当該残りの電流検出器毎に求める電流補正係数算出処理と、
前記基準電圧波形の位相に前記残りの電圧検出器で検出された前記電圧波形の位相を揃えるための電圧位相補正値を、当該残りの電圧検出器毎に求める電圧位相補正値算出処理と、
前記基準電流波形の位相に前記残りの電流検出器で検出された前記電流波形の位相を揃えるための電流位相補正値を、当該残りの電流検出器毎に求める電流位相補正値算出処理と、
前記（ｎ＋２）個の電圧検出器が前記一次巻線、前記ｎ個の二次巻線および前記検出巻線に１個ずつ装着されると共に前記（ｎ＋１）個の電流検出器が当該一次巻線および当該ｎ個の二次巻線に１個ずつ装着された状態において前記交流入力信号を当該一次巻線に供給したときに、当該一次巻線間に生じる入力電圧の電圧波形、当該ｎ個の二次巻線間にそれぞれ生じる出力電圧の電圧波形、および当該検出巻線間に生じる検出電圧の電圧波形を当該電圧検出器で検出すると共に当該電圧検出器のそれぞれに対応させて記憶し、かつ当該一次巻線に流れる入力電流の電流波形、および当該ｎ個の二次巻線にそれぞれ流れる出力電流の電流波形を当該電流検出器で検出すると共に当該電流検出器のそれぞれに対応させて記憶する第２波形検出処理と、
前記第２波形検出処理において検出した前記各電圧波形のうちの前記残りの電圧検出器で検出された各電圧波形を、対応する電圧検出器の前記電圧補正係数および前記電圧位相補正値で補正すると共に補正電圧波形として当該電圧検出器に対応させて記憶する電圧波形補正処理と、
前記第２波形検出処理において検出した前記各電流波形のうちの前記残りの電流検出器で検出された各電流波形を、対応する電流検出器の前記電流補正係数および前記電流位相補正値で補正すると共に補正電流波形として当該電流検出器に対応させて記憶する電流波形補正処理と、
前記第２波形検出処理において前記基準電圧検出器で検出された電圧波形、前記第２波形検出処理において前記基準電流検出器で検出された電流波形、前記電圧波形補正処理で前記残りの電圧検出器に対応させて記憶した補正電圧波形、および前記電流波形補正処理で前記残りの電流検出器に対応させて記憶した補正電流波形に基づいて、前記トランスについての前記損失を測定する損失測定処理とを実行するトランス損失測定方法。
【発明の詳細な説明】
【技術分野】
【０００１】
本発明は、トランスについての損失（全損、鉄損および銅損）を測定するトランス損失測定装置およびトランス損失測定方法に関するものである。
【背景技術】
【０００２】
この種のトランス損失測定装置として、下記の特許文献１に開示されたトランス損失測定装置が知られている。このトランス損失測定装置は、まず、被試験トランスの一次側に設置した電流検出器（電流プローブ）および電圧検出器（電圧プローブ）で測定される電流Ｉ１および電圧Ｅ１とに基づいて一次側に供給される電力（入力電力：Ｅ１×Ｉ１）を測定し、また被試験トランスの二次側に設置した別の電流検出器および別の電圧検出器で測定される電流Ｉ２および電圧Ｅ２とに基づいて二次側から出力される電力（出力電力：Ｅ２×Ｉ２）を測定する。次いで、測定した入力電力から出力電力を減算することで、トランスでの損失（全損：Ｐｔ＝Ｅ１×Ｉ１−Ｅ２×Ｉ２）を測定する。
【０００３】
また、この全損Ｐｔが銅損Ｗｃと鉄損Ｗｉの合計で表されること（Ｐｔ＝Ｗｃ＋Ｗｉ）は公知技術である。また、例えば図２に示すように、被試験トランス５１が、共通の磁気コア５２に、巻数（ターン数）Ｎａの一次巻線５３と、ｎ個（ｎは１以上の整数）の二次巻線５４１，５４２，・・・，５４ｋ，・・・，５４ｎ（ｋ番目（ｋは、１からｎまでの間の任意の値）の巻数がＮｂｋの巻線）とが施されたものであって、同図に示すような検出巻線５５（巻数Ｎｓ）を磁気コア５２に新たに施して、電源ＰＳから一次巻線５３に入力電圧（交流電圧）Ｕａを印加しているときに、同図に示すように、一次巻線５３、検出巻線５５および各二次巻線５４１，５４２，・・・，５４ｋ，・・・，５４ｎに生じる電圧Ｕａ，Ｕｓ，Ｕｂ１，Ｕｂ２，・・・，Ｕｂｋ，・・・，Ｕｂｎ、および一次巻線５３および各二次巻線５４１，５４２，・・・，５４ｋ，・・・，５４ｎに生じる電流Ｉａ，Ｉｂ１，Ｉｂ２，・・・，Ｉｂｋ，・・・，Ｉｂｎを測定するという試験方法を実施したときに、鉄損Ｗｉは下記式（１）で表されることも公知技術である。
鉄損Ｗｉ＝（Ｎａ／Ｎｓ）×Ｕｓ×Ｉａ
−Σ［ｋ＝１→ｎ］｛（Ｎｂｋ／Ｎｓ）×Ｕｓ×Ｉｂｋ｝  ・・・（１）
【０００４】
なお、各二次巻線５４１，５４２，・・・，５４ｋ，・・・，５４ｎには、対応する負荷ＬＤ１，ＬＤ２，・・・，ＬＤｋ，・・・，ＬＤｎが接続されている。
【０００５】
また、上記した特許文献１に開示の全損を示す式に基づき、図２に示す被試験トランス５１についての全損Ｐｔは下記式（２）で表されることも公知技術である。
全損Ｐｔ＝Ｕａ×Ｉａ−Σ［ｋ＝１→ｎ］（Ｕｂｋ×Ｉｂｋ）  ・・・（２）
【０００６】
したがって、被試験トランス５１の鉄損Ｗｉについては上記の式（１）に基づき、また全損Ｐｔについては上記の式（２）から求めることができ、さらにこの全損Ｐｔからこの鉄損Ｗｉを減算することで、銅損Ｗｃについても求めることが可能となっている。
【先行技術文献】
【特許文献】
【０００７】
【特許文献１】特開昭５９−３４１６６号公報（第１−２頁、第１図）
【発明の概要】
【発明が解決しようとする課題】
【０００８】
ところが、上記したトランス損失測定装置には、以下のような解決すべき課題が存在している。すなわち、このトランス損失測定装置では、電気的仕様の同じ（具体的には、入力定格、振幅に関する周波数特性、および位相に関する周波数特性などの電気的仕様が同じ。より具体的には、同じメーカの同じ型番の）電流検出器を複数用意すると共に、電気的仕様の同じ（具体的には、入力定格、振幅に関する周波数特性、および位相に関する周波数特性などの電気的仕様が同じ。より具体的には、同じメーカの同じ型番の）電圧検出器を複数用意して、多チャンネル入力の測定器にこれらの電流検出器および電圧検出器をそのまま接続して、被試験トランスの一次巻線についての上記の電圧値および上記の電流値、全ての二次巻線についての上記の電圧値および上記の電流値、および検出巻線についての上記電圧値を同時に測定する。
【０００９】
しかしながら、電流検出器は、電気的仕様が同じであったとしても、例えば使用されている電子部品の経時変化に起因して、その振幅に関する周波数特性やその位相に関する周波数特性が変化する。これについては、電圧検出器も同様である。このため、電気的仕様の同じ電流検出器で同じ周波数の電流を測定したり、また電気的仕様の同じ電圧検出器で同じ周波数の電圧を測定したりしたとしても、各電流検出器から出力される信号の振幅や位相にバラツキが生じたり、各電圧検出器から出力される信号の振幅や位相にバラツキが生じたりする場合がある。
【００１０】
したがって、電気的仕様の同じ複数の電流検出器、および電気的仕様の同じ複数の電圧検出器をそのまま使用して行う上記のトランス損失測定装置には、各電流検出器間の上記の振幅や位相についてのバラツキ、および各電圧検出器間の上記の振幅や位相についてのバラツキに起因して、トランスの損失（全損、鉄損および銅損）についての測定精度のさらなる向上が難しいという解決すべき課題が存在している。
【００１１】
本発明は、かかる課題を解決するためになされたものであり、トランスの損失（全損、鉄損および銅損）についての測定精度の向上を図り得るトランス損失測定装置およびトランス損失測定方法を提供することを主目的とする。
【課題を解決するための手段】
【００１２】
上記目的を達成すべく請求項１記載のトランス損失測定装置は、１個の一次巻線およびｎ個（ｎは１以上の整数）の二次巻線が共通の磁気コアに施されて構成されたトランスについての全損を、振幅および周波数がそれぞれ一定の交流入力信号が前記一次巻線に供給された状態において測定するトランス損失測定装置であって、（ｎ＋１）個の電圧検出器および（ｎ＋１）個の電流検出器が前記一次巻線に装着された状態において前記交流入力信号が当該一次巻線に供給されたときに、当該一次巻線間に生じる入力電圧の電圧波形を当該（ｎ＋１）個の電圧検出器で検出すると共に当該電圧検出器のそれぞれに対応させて記憶し、かつ当該一次巻線に流れる入力電流の電流波形を当該（ｎ＋１）個の電流検出器で検出すると共に当該電流検出器のそれぞれに対応させて記憶する第１波形検出処理と、前記（ｎ＋１）個の電圧検出器のうちの任意の１つを基準電圧検出器とすると共に当該基準電圧検出器で検出された前記電圧波形を基準電圧波形として、当該基準電圧波形についての特定の電圧パラメータ値に残りの電圧検出器で検出された前記電圧波形についての当該特定の電圧パラメータ値を揃えるための電圧補正係数を当該残りの電圧検出器毎に求める電圧補正係数算出処理と、前記（ｎ＋１）個の電流検出器のうちの任意の１つを基準電流検出器とすると共に当該基準電流検出器で検出された前記電流波形を基準電流波形として、当該基準電流波形についての特定の電流パラメータ値に残りの電流検出器で検出された前記電流波形についての当該特定の電流パラメータ値を揃えるための電流補正係数を当該残りの電流検出器毎に求める電流補正係数算出処理と、前記基準電圧波形の位相に前記残りの電圧検出器で検出された前記電圧波形の位相を揃えるための電圧位相補正値を、当該残りの電圧検出器毎に求める電圧位相補正値算出処理と、前記基準電流波形の位相に前記残りの電流検出器で検出された前記電流波形の位相を揃えるための電流位相補正値を、当該残りの電流検出器毎に求める電流位相補正値算出処理と、前記（ｎ＋１）個の電圧検出器が前記一次巻線および前記ｎ個の二次巻線に１個ずつ装着されると共に前記（ｎ＋１）個の電流検出器が当該一次巻線および当該ｎ個の二次巻線に１個ずつ装着された状態において前記交流入力信号が当該一次巻線に供給されたときに、当該一次巻線間に生じる入力電圧の電圧波形、および当該ｎ個の二次巻線間にそれぞれ生じる出力電圧の電圧波形を当該電圧検出器で検出すると共に当該電圧検出器のそれぞれに対応させて記憶し、かつ当該一次巻線に流れる入力電流の電流波形、および当該ｎ個の二次巻線にそれぞれ流れる出力電流の電流波形を当該電流検出器で検出すると共に当該電流検出器のそれぞれに対応させて記憶する第２波形検出処理と、前記第２波形検出処理において検出した前記各電圧波形のうちの前記残りの電圧検出器で検出された各電圧波形を、対応する電圧検出器の前記電圧補正係数および前記電圧位相補正値で補正すると共に補正電圧波形として当該電圧検出器に対応させて記憶する電圧波形補正処理と、前記第２波形検出処理において検出した前記各電流波形のうちの前記残りの電流検出器で検出された各電流波形を、対応する電流検出器の前記電流補正係数および前記電流位相補正値で補正すると共に補正電流波形として当該電流検出器に対応させて記憶する電流波形補正処理と、前記第２波形検出処理において前記基準電圧検出器で検出された電圧波形、前記第２波形検出処理において前記基準電流検出器で検出された電流波形、前記電圧波形補正処理で前記残りの電圧検出器に対応させて記憶した補正電圧波形、および前記電流波形補正処理で前記残りの電流検出器に対応させて記憶した補正電流波形に基づいて、前記トランスについての前記全損を測定する損失測定処理とを実行する。
【００１３】
請求項２記載のトランス損失測定装置は、１個の一次巻線およびｎ個（ｎは１以上の整数）の二次巻線が共通の磁気コアに施されて構成されたトランスについての損失を、前記磁気コアに１個の検出巻線が施され、かつ振幅および周波数がそれぞれ一定の交流入力信号が前記一次巻線に供給された状態において測定するトランス損失測定装置であって、（ｎ＋２）個の電圧検出器および（ｎ＋１）個の電流検出器が前記一次巻線に装着された状態において前記交流入力信号が当該一次巻線に供給されたときに、当該一次巻線間に生じる入力電圧の電圧波形を当該（ｎ＋２）個の電圧検出器で検出すると共に当該電圧検出器のそれぞれに対応させて記憶し、かつ当該一次巻線に流れる入力電流の電流波形を当該（ｎ＋１）個の電流検出器で検出すると共に当該電流検出器のそれぞれに対応させて記憶する第１波形検出処理と、前記（ｎ＋２）個の電圧検出器のうちの任意の１つを基準電圧検出器とすると共に当該基準電圧検出器で検出された前記電圧波形を基準電圧波形として、当該基準電圧波形についての特定の電圧パラメータ値に残りの電圧検出器で検出された前記電圧波形についての当該特定の電圧パラメータ値を揃えるための電圧補正係数を当該残りの電圧検出器毎に求める電圧補正係数算出処理と、前記（ｎ＋１）個の電流検出器のうちの任意の１つを基準電流検出器とすると共に当該基準電流検出器で検出された前記電流波形を基準電流波形として、当該基準電流波形についての特定の電流パラメータ値に残りの電流検出器で検出された前記電流波形についての当該特定の電流パラメータ値を揃えるための電流補正係数を当該残りの電流検出器毎に求める電流補正係数算出処理と、前記基準電圧波形の位相に前記残りの電圧検出器で検出された前記電圧波形の位相を揃えるための電圧位相補正値を、当該残りの電圧検出器毎に求める電圧位相補正値算出処理と、前記基準電流波形の位相に前記残りの電流検出器で検出された前記電流波形の位相を揃えるための電流位相補正値を、当該残りの電流検出器毎に求める電流位相補正値算出処理と、前記（ｎ＋２）個の電圧検出器が前記一次巻線、前記ｎ個の二次巻線および前記検出巻線に１個ずつ装着されると共に前記（ｎ＋１）個の電流検出器が当該一次巻線および当該ｎ個の二次巻線に１個ずつ装着された状態において前記交流入力信号が当該一次巻線に供給されたときに、当該一次巻線間に生じる入力電圧の電圧波形、当該ｎ個の二次巻線間にそれぞれ生じる出力電圧の電圧波形、および当該検出巻線間に生じる検出電圧の電圧波形を当該電圧検出器で検出すると共に当該電圧検出器のそれぞれに対応させて記憶し、かつ当該一次巻線に流れる入力電流の電流波形、および当該ｎ個の二次巻線にそれぞれ流れる出力電流の電流波形を当該電流検出器で検出すると共に当該電流検出器のそれぞれに対応させて記憶する第２波形検出処理と、前記第２波形検出処理において検出した前記各電圧波形のうちの前記残りの電圧検出器で検出された各電圧波形を、対応する電圧検出器の前記電圧補正係数および前記電圧位相補正値で補正すると共に補正電圧波形として当該電圧検出器に対応させて記憶する電圧波形補正処理と、前記第２波形検出処理において検出した前記各電流波形のうちの前記残りの電流検出器で検出された各電流波形を、対応する電流検出器の前記電流補正係数および前記電流位相補正値で補正すると共に補正電流波形として当該電流検出器に対応させて記憶する電流波形補正処理と、前記第２波形検出処理において前記基準電圧検出器で検出された電圧波形、前記第２波形検出処理において前記基準電流検出器で検出された電流波形、前記電圧波形補正処理で前記残りの電圧検出器に対応させて記憶した補正電圧波形、および前記電流波形補正処理で前記残りの電流検出器に対応させて記憶した補正電流波形に基づいて、前記トランスについての前記損失を測定する損失測定処理とを実行する。
【００１４】
請求項３記載のトランス損失測定方法は、１個の一次巻線およびｎ個（ｎは１以上の整数）の二次巻線が共通の磁気コアに施されて構成されたトランスについての全損を、振幅および周波数がそれぞれ一定の交流入力信号を前記一次巻線に供給して測定するトランス損失測定方法であって、（ｎ＋１）個の電圧検出器および（ｎ＋１）個の電流検出器が前記一次巻線に装着された状態において前記交流入力信号を当該一次巻線に供給したときに、当該一次巻線間に生じる入力電圧の電圧波形を当該（ｎ＋１）個の電圧検出器で検出すると共に当該電圧検出器のそれぞれに対応させて記憶し、かつ当該一次巻線に流れる入力電流の電流波形を当該（ｎ＋１）個の電流検出器で検出すると共に当該電流検出器のそれぞれに対応させて記憶する第１波形検出処理と、前記（ｎ＋１）個の電圧検出器のうちの任意の１つを基準電圧検出器とすると共に当該基準電圧検出器で検出された前記電圧波形を基準電圧波形として、当該基準電圧波形についての特定の電圧パラメータ値に残りの電圧検出器で検出された前記電圧波形についての当該特定の電圧パラメータ値を揃えるための電圧補正係数を当該残りの電圧検出器毎に求める電圧補正係数算出処理と、前記（ｎ＋１）個の電流検出器のうちの任意の１つを基準電流検出器とすると共に当該基準電流検出器で検出された前記電流波形を基準電流波形として、当該基準電流波形についての特定の電流パラメータ値に残りの電流検出器で検出された前記電流波形についての当該特定の電流パラメータ値を揃えるための電流補正係数を当該残りの電流検出器毎に求める電流補正係数算出処理と、前記基準電圧波形の位相に前記残りの電圧検出器で検出された前記電圧波形の位相を揃えるための電圧位相補正値を、当該残りの電圧検出器毎に求める電圧位相補正値算出処理と、前記基準電流波形の位相に前記残りの電流検出器で検出された前記電流波形の位相を揃えるための電流位相補正値を、当該残りの電流検出器毎に求める電流位相補正値算出処理と、前記（ｎ＋１）個の電圧検出器が前記一次巻線および前記ｎ個の二次巻線に１個ずつ装着されると共に前記（ｎ＋１）個の電流検出器が当該一次巻線および当該ｎ個の二次巻線に１個ずつ装着された状態において前記交流入力信号を当該一次巻線に供給したときに、当該一次巻線間に生じる入力電圧の電圧波形、および当該ｎ個の二次巻線間にそれぞれ生じる出力電圧の電圧波形を当該電圧検出器で検出すると共に当該電圧検出器のそれぞれに対応させて記憶し、かつ当該一次巻線に流れる入力電流の電流波形、および当該ｎ個の二次巻線にそれぞれ流れる出力電流の電流波形を当該電流検出器で検出すると共に当該電流検出器のそれぞれに対応させて記憶する第２波形検出処理と、前記第２波形検出処理において検出した前記各電圧波形のうちの前記残りの電圧検出器で検出された各電圧波形を、対応する電圧検出器の前記電圧補正係数および前記電圧位相補正値で補正すると共に補正電圧波形として当該電圧検出器に対応させて記憶する電圧波形補正処理と、前記第２波形検出処理において検出した前記各電流波形のうちの前記残りの電流検出器で検出された各電流波形を、対応する電流検出器の前記電流補正係数および前記電流位相補正値で補正すると共に補正電流波形として当該電流検出器に対応させて記憶する電流波形補正処理と、前記第２波形検出処理において前記基準電圧検出器で検出された電圧波形、前記第２波形検出処理において前記基準電流検出器で検出された電流波形、前記電圧波形補正処理で前記残りの電圧検出器に対応させて記憶した補正電圧波形、および前記電流波形補正処理で前記残りの電流検出器に対応させて記憶した補正電流波形に基づいて、前記トランスについての前記全損を測定する損失測定処理とを実行する。
【００１５】
請求項４記載のトランス損失測定方法は、１個の一次巻線およびｎ個（ｎは１以上の整数）の二次巻線が共通の磁気コアに施されて構成されたトランスについての損失を、前記磁気コアに１個の検出巻線を施すと共に、振幅および周波数がそれぞれ一定の交流入力信号を前記一次巻線に供給して測定するトランス損失測定方法であって、（ｎ＋２）個の電圧検出器および（ｎ＋１）個の電流検出器が前記一次巻線に装着された状態において前記交流入力信号を当該一次巻線に供給したときに、当該一次巻線間に生じる入力電圧の電圧波形を当該（ｎ＋２）個の電圧検出器で検出すると共に当該電圧検出器のそれぞれに対応させて記憶し、かつ当該一次巻線に流れる入力電流の電流波形を当該（ｎ＋１）個の電流検出器で検出すると共に当該電流検出器のそれぞれに対応させて記憶する第１波形検出処理と、前記（ｎ＋２）個の電圧検出器のうちの任意の１つを基準電圧検出器とすると共に当該基準電圧検出器で検出された前記電圧波形を基準電圧波形として、当該基準電圧波形についての特定の電圧パラメータ値に残りの電圧検出器で検出された前記電圧波形についての当該特定の電圧パラメータ値を揃えるための電圧補正係数を当該残りの電圧検出器毎に求める電圧補正係数算出処理と、前記（ｎ＋１）個の電流検出器のうちの任意の１つを基準電流検出器とすると共に当該基準電流検出器で検出された前記電流波形を基準電流波形として、当該基準電流波形についての特定の電流パラメータ値に残りの電流検出器で検出された前記電流波形についての当該特定の電流パラメータ値を揃えるための電流補正係数を当該残りの電流検出器毎に求める電流補正係数算出処理と、前記基準電圧波形の位相に前記残りの電圧検出器で検出された前記電圧波形の位相を揃えるための電圧位相補正値を、当該残りの電圧検出器毎に求める電圧位相補正値算出処理と、前記基準電流波形の位相に前記残りの電流検出器で検出された前記電流波形の位相を揃えるための電流位相補正値を、当該残りの電流検出器毎に求める電流位相補正値算出処理と、前記（ｎ＋２）個の電圧検出器が前記一次巻線、前記ｎ個の二次巻線および前記検出巻線に１個ずつ装着されると共に前記（ｎ＋１）個の電流検出器が当該一次巻線および当該ｎ個の二次巻線に１個ずつ装着された状態において前記交流入力信号を当該一次巻線に供給したときに、当該一次巻線間に生じる入力電圧の電圧波形、当該ｎ個の二次巻線間にそれぞれ生じる出力電圧の電圧波形、および当該検出巻線間に生じる検出電圧の電圧波形を当該電圧検出器で検出すると共に当該電圧検出器のそれぞれに対応させて記憶し、かつ当該一次巻線に流れる入力電流の電流波形、および当該ｎ個の二次巻線にそれぞれ流れる出力電流の電流波形を当該電流検出器で検出すると共に当該電流検出器のそれぞれに対応させて記憶する第２波形検出処理と、前記第２波形検出処理において検出した前記各電圧波形のうちの前記残りの電圧検出器で検出された各電圧波形を、対応する電圧検出器の前記電圧補正係数および前記電圧位相補正値で補正すると共に補正電圧波形として当該電圧検出器に対応させて記憶する電圧波形補正処理と、前記第２波形検出処理において検出した前記各電流波形のうちの前記残りの電流検出器で検出された各電流波形を、対応する電流検出器の前記電流補正係数および前記電流位相補正値で補正すると共に補正電流波形として当該電流検出器に対応させて記憶する電流波形補正処理と、前記第２波形検出処理において前記基準電圧検出器で検出された電圧波形、前記第２波形検出処理において前記基準電流検出器で検出された電流波形、前記電圧波形補正処理で前記残りの電圧検出器に対応させて記憶した補正電圧波形、および前記電流波形補正処理で前記残りの電流検出器に対応させて記憶した補正電流波形に基づいて、前記トランスについての前記損失を測定する損失測定処理とを実行する。
【発明の効果】
【００１６】
請求項１記載のトランス損失測定装置および請求項３記載のトランス損失測定方法では、トランスの全損の測定に使用する（ｎ＋１）個の電圧検出器および（ｎ＋１）個の電流検出器について、交流入力信号を一次巻線に供給した状態において、この一次巻線および各二次巻線のうちのいずれか１つに生じる電圧波形および電流波形を各電圧検出器および各電流検出器で検出して、各電圧検出器で検出された電圧波形の振幅を揃えるための電圧補正係数およびこの電圧波形の位相を揃えるための電圧位相補正値を求めると共に、各電流検出器で検出された電流波形の振幅を揃えるための電流補正係およびこの電流波形の位相を揃えるための電流位相補正値を求める。次いで、トランスの全損の測定に際して、一次巻線および各二次巻線に装着された各電圧検出器および各電流検出器で検出された電圧波形および電流波形のうちの基準電圧検出器とした電圧検出器を除いた残りの電圧検出器で検出された電圧波形に対して電圧補正係数および電圧位相補正値を適用し補正して補正電圧波形を求め、また基準電流検出器とした電流検出器を除いた残りの電流検出器で検出された電流波形に対して電流補正係および電流位相補正値を適用し補正して補正電流波形を求め、このようにして求めた各補正電圧波形および各補正電流波形と、基準電圧検出器とした１つの電圧検出器で検出された電圧波形と、基準電流検出器とした１つの電流検出器で検出された電流波形とに基づいて、トランスの全損を測定する。
【００１７】
したがって、このトランス損失測定装置およびこのトランス損失測定方法によれば、各電圧検出器の振幅および位相を揃えず、かつ各電流検出器の振幅および位相も揃えない状態で測定されるトランスの全損よりも、測定される全損についての測定精度をより向上させることができる。
【００１８】
請求項２記載のトランス損失測定装置および請求項４記載のトランス損失測定方法では、トランスの損失の測定に使用する（ｎ＋２）個の電圧検出器および（ｎ＋１）個の電流検出器について、交流入力信号を一次巻線に供給した状態において、この一次巻線および各二次巻線のうちのいずれか１つに生じる電圧波形および電流波形を各電圧検出器および各電流検出器で検出して、各電圧検出器で検出された電圧波形の振幅を揃えるための電圧補正係数およびこの電圧波形の位相を揃えるための電圧位相補正値を求めると共に、各電流検出器で検出された電流波形の振幅を揃えるための電流補正係およびこの電流波形の位相を揃えるための電流位相補正値を求める。次いで、トランス損失の測定に際して、一次巻線および各二次巻線に装着された各電圧検出器および各電流検出器で検出された電圧波形および電流波形のうちの基準電圧検出器とした電圧検出器を除いた残りの電圧検出器で検出された電圧波形に対して電圧補正係数および電圧位相補正値を適用し補正して補正電圧波形を求め、また基準電流検出器とした電流検出器を除いた残りの電流検出器で検出された電流波形に対して電流補正係および電流位相補正値を適用し補正して補正電流波形を求め、このようにして求めた各補正電圧波形および各補正電流波形と、基準電圧検出器とした１つの電圧検出器で検出された電圧波形と、基準電流検出器とした１つの電流検出器で検出された電流波形とに基づいて、トランスの損失を測定する。
【００１９】
したがって、このトランス損失測定装置およびこのトランス損失測定方法によれば、各電圧検出器の振幅および位相を揃えず、かつ各電流検出器の振幅および位相も揃えない状態で測定されるトランスの損失よりも、測定される損失についての測定精度をより向上させることができる。
【図面の簡単な説明】
【００２０】
【図１】トランス５１の構成およびトランス損失測定方法を説明するための説明図である。
【図２】トランス損失測定方法を説明するための他の説明図である。
【図３】トランス損失測定方法を説明するためのトランス損失測定処理のフローチャートである。
【発明を実施するための形態】
【００２１】
以下、トランス損失測定装置およびトランス損失測定方法の実施の形態について、添付図面を参照して説明する。
【００２２】
最初に、測定対象となるトランス（被試験トランス）５１の構成について、図１を参照して説明する。
【００２３】
トランス５１は、背景技術でも説明したように、共通の１個の磁気コア５２、１個の一次巻線５３、およびｎ個（ｎは１以上の整数）の二次巻線５４１，５４２，・・・，５４ｋ，・・・，５４ｎ（ｋは、１以上ｎ以下の任意の整数）を備えている。一次巻線５３は、巻数（ターン数）がＮａに規定されて、磁気コア５２に施されている。各二次巻線５４１，５４２，・・・，５４ｋ，・・・，５４ｎは、それぞれの巻数がＮｂ１，Ｎｂ２，・・・，Ｎｂｋ，・・・，Ｎｂｎに規定されると共に、磁気コア５２に施されている。なお、各巻数Ｎｂ１，Ｎｂ２，・・・，Ｎｂｋ，・・・，Ｎｂｎは、それぞれ任意の数であり、すべて同数であってもよいし、いずれかの巻数同士が同数であるものの他と異なる数であってもよいし、すべて異なる数であってもよい。
【００２４】
次に、トランス５１でのトランス損失を測定するトランス損失測定方法について図１〜図３を参照して説明する。なお、本例において測定するトランス損失とは、図２に示すように、各二次巻線５４１，５４２，・・・，５４ｋ，・・・，５４ｎにそれぞれに対応した所定の抵抗値の負荷ＬＤ（ＬＤ１，ＬＤ２，・・・，ＬＤｋ，・・・，ＬＤｎ）を接続した状態において、電源ＰＳから一次巻線５３に交流入力信号（例えば、振幅および周波数が一定の正弦波信号）を供給したときのトランス５１についての全損（本例では、全損Ｗｔと表記するものとする）、鉄損Ｗｉおよび銅損Ｗｃである。
【００２５】
測定者は、図３に示すトランス損失測定処理６０を実行することでこのトランス損失測定方法を実施する。トランス損失測定方法では、測定者は、まず、一次巻線５３、ｎ個の二次巻線５４および後述する１個の検出巻線５５と同数（つまり（ｎ＋２）個）の電圧検出器１１と、一次巻線５３およびｎ個の二次巻線５４と同数（つまり（ｎ＋１）個）の電流検出器１２と、各電圧検出器１１および各電流検出器１２が接続可能に構成されて、各電圧検出器１１および各電流検出器１２からそれぞれ出力される後述の電圧信号についての電圧波形を取得して処理可能なトランス損失測定装置１（以下、単に「測定装置１」ともいう）とを用意する。なお、測定装置１は、例えば、多系統のアナログ信号を入力すると共にこれらを同時にサンプリングしてデジタル信号に変換する複数のＡ／Ｄ変換器と、各Ａ／Ｄ変換器から出力されるデジタル信号を入力して処理するコンピュータと、コンピュータに対して動作指示を入力するための操作部（操作パネルやキーボードなど）と、記憶部と、表示装置などで構成された出力部とを備えて、トランス５１の全損Ｗｔ、鉄損Ｗｉおよび銅損Ｗｃを算出（測定）可能に構成されている。
【００２６】
この場合、各電圧検出器１１は、電気的仕様（例えば、入力定格、振幅に関する周波数特性、および位相に関する周波数特性などの電気的仕様）が同じであって、装着された一対の部位間に生じる交流電圧の電圧波形を検出する。具体的には、各電圧検出器１１は、この一対の部位間に生じる交流電圧を検出すると共に、この交流電圧の電圧値に比例した電圧値の電圧信号（交流電圧の電圧波形を示す信号）を出力することで、この交流電圧の電圧波形を検出する。また、各電流検出器１２は、電気的仕様（例えば、入力定格、振幅に関する周波数特性、および位相に関する周波数特性などの電気的仕様）が同じであって、装着された電路に流れる交流電流の電流波形を検出する。具体的には、各電流検出器１２は、この電路に流れる交流電流を検出すると共に、この交流電流の電流値に比例した電圧値の電圧信号（交流電流の電流波形を示す信号）を出力することで、この交流電流の電流波形を検出する。例えば、各電圧検出器１１は電圧プローブで構成し、各電流検出器１２は電流プローブで構成することができる。
【００２７】
また、（ｎ＋２）個の電圧検出器１１は、上記のように電気的仕様が同じであるため、後述の第２波形検出処理において、いずれが一次巻線５３に装着（接続）され、いずれが検出巻線５５に装着（接続）され、残りのうちのいずれがｎ個の二次巻線５４のうちのいずれに装着（接続）されてもよい。しかしながら、本例では理解の容易のため、各電圧検出器１１は第２波形検出処理での装着位置が予め規定されているものとし、一次巻線５３（巻数Ｎａ）に装着される電圧検出器１１については電圧検出器１１ａと表記し、検出巻線５５（後述するように巻数Ｎｓ）に装着される電圧検出器１１については電圧検出器１１ｓと表記し、各二次巻線５４（各巻数Ｎｂ１，Ｎｂ２，・・・，Ｎｂｋ，・・・，Ｎｂｎ）に装着される電圧検出器１１については、各電圧検出器１１ｂ１，１１ｂ２，・・・，１１ｂｋ，・・・，１１ｂｎと表記するものとする。
【００２８】
同様にして、（ｎ＋１）個の電流検出器１２も、上記のように電気的仕様が同じであるため、後述の第２波形検出処理において、いずれが一次巻線５３に装着され、残りのうちのいずれがｎ個の二次巻線５４のうちのいずれに装着されてもよい。しかしながら、この例では理解の容易のため、各電流検出器１２は第２波形検出処理での装着位置が予め規定されているものとし、一次巻線５３に接続される電流検出器１２については電圧検出器１１ａに対応させて電流検出器１２ａと表記し、各二次巻線５４に接続される電流検出器１２については、同じ二次巻線５４に接続される各電圧検出器１１ｂ１，１１ｂ２，・・・，１１ｂｋ，・・・，１１ｂｎに対応させて電流検出器１２ｂ１，１２ｂ２，・・・，１２ｂｋ，・・・，１２ｂｎと表記するものとする。
【００２９】
次いで、測定者は、各電圧検出器１１の電気的仕様（特に、振幅に関する周波数特性および位相に関する周波数特性）を揃えると共に、各電流検出器１２の電気的仕様（特に、振幅に関する周波数特性および位相に関する周波数特性）を揃えるための補正係数決定処理を実行する（図３参照）。
【００３０】
この補正係数決定処理では、測定者は、まず、第１前処理を実行する（ステップ６１）。この第１前処理では、測定者は、図１に示すように、各電圧検出器１１ａ，１１ｓ，１１ｂ１〜１１ｂｎと、各電流検出器１２ａ，１２ｂ１〜１２ｂｎとを測定装置１に接続する。また、一次巻線５３に電源ＰＳを接続すると共に、各二次巻線５４のそれぞれに対して対応する負荷ＬＤを接続する。また、電源ＰＳから一次巻線５３に供給される交流入力信号としての入力電圧Ｕａを共通の測定対象信号とし得るように、一次巻線５３の一対の入力端子間に各電圧検出器１１ａ，１１ｓ，１１ｂ１〜１１ｂｎを並列に装着する。また、電源ＰＳから一次巻線５３に供給される交流入力信号としての入力電流Ｉａを共通の測定対象信号とし得るように、電源ＰＳから一次巻線５３への電路に各電流検出器１２ａ，１２ｂ１〜１２ｂｎを装着する。
【００３１】
次いで、測定者は、電源ＰＳを作動させることにより、電源ＰＳから一次巻線５３への交流入力信号の供給を開始させる。これにより、第１前処理が完了し、各電圧検出器１１ａ，１１ｓ，１１ｂ１〜１１ｂｎは、一次巻線５３間に生じる入力電圧Ｕａを同時に検出すると共に、この入力電圧Ｕａの電圧値に比例した電圧値の電圧信号（入力電圧Ｕａの電圧波形を示す信号）を同時に出力する。また、各電流検出器１２ａ，１２ｂ１〜１２ｂｎは、一次巻線５３に流れる入力電流Ｉａを同時に検出すると共に、この入力電流Ｉａの電流値に比例した電圧値の電圧信号を同時に出力する。
【００３２】
続いて、測定者は、測定装置１を作動させて、第１波形検出処理を実行する（ステップ６２）。この第１波形検出処理では、測定装置１は、（ｎ＋２）個の電圧検出器１１および（ｎ＋１）個の電流検出器１２から出力される各電圧信号の電圧波形を同時に取得して、（ｎ＋２）個の電圧検出器１１から出力される電圧信号の電圧波形については、入力電圧Ｕａの電圧波形を示す波形として記憶し、（ｎ＋１）個の電流検出器１２から出力される各電圧信号の電圧波形については、入力電流Ｉａの電流波形を示す波形として記憶する。
【００３３】
具体的には、測定装置１は、電源ＰＳから一次巻線５３に供給される入力電圧Ｕａの既知の周期よりも長い期間（例えば、この周期の１．５倍から数倍程度の期間）に亘り、各電圧検出器１１および各電流検出器１２から同時に出力される各電圧信号を同じサンプリング周期（入力電圧Ｕａの周期よりも十分に短いサンプリング周期）でサンプリングすることにより、各電圧信号についての電圧波形の瞬時値を示す波形データを生成して、電圧検出器１１から出力される電圧信号の電圧波形についての波形データに関しては入力電圧Ｕａの電圧波形を示す電圧波形データとして記憶し、また電流検出器１２から出力される電圧信号の電圧波形についての波形データに関しては入力電流Ｉａの電流波形を示す電流波形データとして記憶する。これにより、第１波形検出処理が完了する。
【００３４】
次いで、測定者は、基準器選定処理を実行する（ステップ６３）。この基準器選定処理では、測定者は、測定装置１に対する操作を実行して、（ｎ＋２）個の電圧検出器１１のうちの任意の１つを基準電圧検出器として選定すると共に、（ｎ＋１）個の電流検出器１２のうちの任意の１つを基準電流検出器として選定する。
【００３５】
測定装置１は、この基準器選定処理の実行後に、この基準電圧検出器として選定された１個の電圧検出器１１から出力された電圧波形についての電圧波形データを基準電圧波形についての基準電圧波形データとして、またこの基準電流検出器として選定された１個の電流検出器１２から出力された電流波形についての電流波形データを基準電流波形についての基準電流波形データとして、電圧補正係数算出処理（ステップ６４）、電流補正係数算出処理（ステップ６５）、電圧位相補正値算出処理（ステップ６６）および電流位相補正値算出処理（ステップ６７）を実行する。以下では、共に一次巻線５３に接続される電圧検出器１１ａが基準電圧検出器に選定され（つまり、電圧検出器１１ａで検出される入力電圧Ｕａの電圧波形が基準電圧波形となる）、また電流検出器１２ａが基準電流検出器に選定された（つまり、電流検出器１２ａで検出される入力電流Ｉａの電流波形が基準電流波形となる）ものとして説明するが、互いに異なる巻線に接続される電圧検出器１１および電流検出器１２（例えば、一次巻線５３に接続される電圧検出器１１ａおよび二次巻線５４のうちのいずれか１つに接続される電流検出器１２、または二次巻線５４のうちのいずれか１つに接続される電圧検出器１１および二次巻線５４のうちの他の１つに接続される電流検出器１２）を基準電圧検出器および基準電流検出器として選定してもよいのは勿論である。
【００３６】
測定装置１は、電圧補正係数算出処理では、まず、記憶した各電圧波形データに基づき、（ｎ＋２）個の電圧検出器１１で検出された電圧波形についての特定の電圧パラメータ値を算出する。この特定の電圧パラメータ値としては、各電圧波形の振幅値や、実効値や、平均値や、最大値などとすることが可能であるが、本例では一例として実効値とする。これにより、測定装置１は、（ｎ＋２）個の電圧検出器１１ａ，１１ｓ，１１ｂ１〜１１ｂｎで検出された各電圧波形（この場合、共通の入力電圧Ｕａの電圧波形）についての実効値ＵＲＭＳａ，ＵＲＭＳｓ，ＵＲＭＳｂ１〜ＵＲＭＳｂｎを特定の電圧パラメータ値として算出する。
【００３７】
次いで、測定装置１は、基準電圧検出器としての電圧検出器１１ａで検出された入力電圧Ｖｎｉの電圧波形（基準電圧波形）についての実効値ＵＲＭＳａに、残りの電圧検出器１１ｓ，１１ｂ１〜１１ｂｎで検出された入力電圧Ｕａの電圧波形についての各実効値ＵＲＭＳｓ，ＵＲＭＳｂ１〜ＵＲＭＳｂｎを揃えるための電圧補正係数ｕｃｓ，ｕｃｂ１〜ｕｃｂｎを下記の式に基づいて算出すると共に、上記の残りの電圧検出器１１ｓ，１１ｂ１〜１１ｂｎに対応させて記憶する。これにより、電圧補正係数算出処理が完了する。
電圧補正係数ｕｃｓ＝ＵＲＭＳａ／ＵＲＭＳｓ
電圧補正係数ｕｃｂ１＝ＵＲＭＳａ／ＵＲＭＳｂ１
・
・
電圧補正係数ｕｃｂｎ＝ＵＲＭＳａ／ＵＲＭＳｂｎ
【００３８】
また、測定装置１は、電流補正係数算出処理では、まず、記憶した各電流波形データに基づき、（ｎ＋１）個の電流検出器１２で検出された電流波形についての特定の電流パラメータ値を算出する。この特定の電流パラメータ値については、本例では一例として、電圧補正係数算出処理と同じ実効値とするが、各電流波形の振幅値や、平均値や、最大値など、電圧補正係数算出処理とは異なる値とすることも可能である。これにより、測定装置１は、（ｎ＋１）個の電流検出器１２ａ，１２ｂ１〜１２ｂｎで検出された各電流波形（この場合、共通の入力電流Ｉａの電流波形）についての実効値ＩＲＭＳａ，ＩＲＭＳｂ１〜ＩＲＭＳｂｎを特定の電流パラメータ値として算出する。
【００３９】
次いで、測定装置１は、基準電流検出器としての電流検出器１２ａで検出された入力電流Ｉａの電流波形（基準電流波形）についての実効値ＩＲＭＳａに、残りの電流検出器１２ｂ１〜１２ｂｎで検出された入力電流Ｉａの電流波形についての各実効値ＩＲＭＳｂ１〜ＩＲＭＳｂｎを揃えるための電流補正係数ｉｃｂ１〜ｉｃｂｎを下記の式に基づいて算出すると共に、上記の残りの電流検出器１２ｂ１〜１２ｂｎに対応させて記憶する。これにより、電流補正係数算出処理が完了する。
電流補正係数ｉｃｂ１＝ＩＲＭＳａ／ＩＲＭＳｂ１
・
・
電流補正係数ｉｃｂｎ＝ＩＲＭＳａ／ＩＲＭＳｂｎ
【００４０】
また、測定装置１は、電圧位相補正値算出処理では、記憶した各電圧波形データに基づき、基準電圧検出器としての電圧検出器１１ａで検出された入力電圧Ｖｎｉの電圧波形（基準電圧波形）の位相に、残りの電圧検出器１１ｓ，１１ｂ１〜１１ｂｎで検出された入力電圧Ｖｎｉの電圧波形の位相を揃えるための電圧位相補正値ｕｐｈｓ，ｕｐｈｂ１〜ｕｐｈｂｎ（以下、特に区別しないときには「電圧位相補正値ｕｐｈ」ともいう）を算出すると共に、この残りの電圧検出器１１ｓ，１１ｂ１〜１１ｂｎに対応させて記憶する。
【００４１】
この電圧位相補正値ｕｐｈｓ，ｕｐｈｂ１〜ｕｐｈｂｎについては、例えば、上記の基準電圧波形についての電圧波形データに基づいて検出されるこの基準電圧波形におけるゼロクロス点（立ち上がりゼロクロス点および立ち下がりゼロクロス点のうちのいずれか１つの特定のゼロクロス点）を基準点として、残りの電圧検出器１１ｓ，１１ｂ１〜１１ｂｎで検出された各電圧波形についての対応する特定のゼロクロス点までの時間差をそれぞれ算出し、この算出した時間差を電圧位相補正値ｕｐｈｓ，ｕｐｈｂ１〜ｕｐｈｂｎとして記憶する。
【００４２】
一例として、この電圧位相補正値ｕｐｈは、残りの電圧検出器１１ｓ，１１ｂ１〜１１ｂｎで検出された各電圧波形についての対応する特定のゼロクロス点の出現タイミングが上記の基準電圧波形における基準点よりも早いとき（位相が進んでいるとき）には負の値となり、逆に遅いとき（位相が遅れているとき）には正の値となるものとする。したがって、残りの電圧検出器１１ｓ，１１ｂ１〜１１ｂｎで検出された各電圧波形について、その電圧位相補正値ｕｐｈが負の値のときには、その電圧波形データを時間軸に沿って電圧位相補正値ｕｐｈの絶対値分だけ遅らせることで、その特定のゼロクロス点の時間軸上での位置を基準電圧波形の特定のゼロクロス点の位置に揃えること（つまり、位相を揃えること）が可能となり、またその電圧位相補正値ｕｐｈが正の値のときには、その電圧波形データを時間軸に沿って電圧位相補正値ｕｐｈの絶対値分だけ進めることで、その特定のゼロクロス点の時間軸上での位置を基準電圧波形の特定のゼロクロス点の位置に揃えること（つまり、位相を揃えること）が可能となる。
【００４３】
また、測定装置１は、電流位相補正値算出処理では、記憶した各電流波形データに基づき、基準電流検出器としての電流検出器１２ａで検出された入力電流Ｉａの電流波形（基準電流波形）の位相に、残りの電流検出器１２ｂ１〜１２ｂｎで検出された入力電流Ｉａの電流波形の位相を揃えるための電流位相補正値ｉｐｈｂ１〜ｉｐｈｂｎ（以下、特に区別しないときには「電流位相補正値ｉｐｈ」ともいう）を算出すると共に、この残りの電流検出器１２ｂ１〜１２ｂｎに対応させて記憶する。
【００４４】
この電流位相補正値ｉｐｈｂ１〜ｉｐｈｂｎについては、例えば、上記の基準電流波形についての電圧波形データに基づいて検出されるこの基準電流波形におけるゼロクロス点（立ち上がりゼロクロス点および立ち下がりゼロクロス点のうちのいずれか１つの特定のゼロクロス点）を基準点として、残りの電流検出器１２ｂ１〜１２ｂｎで検出された各電流波形についての対応する特定のゼロクロス点までの時間差をそれぞれ算出し、この算出した時間差を電流位相補正値ｉｐｈｂ１〜ｉｕｐｈｂｎとして記憶する。
【００４５】
一例として、この電流位相補正値ｉｐｈは、残りの電流検出器１２ｂ１〜１２ｂｎで検出された各電流波形についての対応する特定のゼロクロス点の出現タイミングが上記の基準電流波形における基準点よりも早いとき（位相が進んでいるとき）には負の値となり、逆に遅いとき（位相が遅れているとき）には正の値となるものとする。したがって、残りの電流検出器１２ｂ１〜１２ｂｎで検出された各電流波形について、その電流位相補正値ｉｐｈが負の値のときには、その電流波形データを時間軸に沿って電流位相補正値ｉｐｈの絶対値分だけ遅らせることで、その特定のゼロクロス点の時間軸上での位置を基準電流波形の特定のゼロクロス点の位置に揃えること（つまり、位相を揃えること）が可能となり、またその電流位相補正値ｉｐｈが正の値のときには、その電流波形データを時間軸に沿って電流位相補正値ｉｐｈの絶対値分だけ進めることで、その特定のゼロクロス点の時間軸上での位置を基準電流波形の特定のゼロクロス点の位置に揃えること（つまり、位相を揃えること）が可能となる。以上により、補正係数決定処理が完了する。
【００４６】
続いて、測定者は、第２前処理を実行する（ステップ６８）。この第２前処理では、測定者は、まず、図２に示すように、トランス５１の磁気コア５２に検出巻線５５を巻数Ｎｓで施す。なお、この検出巻線５５については、上記した補正係数決定処理の開始前に施しておくことも可能である。
【００４７】
次いで、測定者は、図１に示すようにして一次巻線５３側に装着されている（ｎ＋２）個の電圧検出器１１ａ，１１ｓ，１１ｂ１〜１１ｂｎ、および（ｎ＋１）個の電流検出器１２ａ，１２ｂ１〜１２ｂｎのうちの電圧検出器１１ａと電流検出器１２ａについてはそのままとして、他の電圧検出器１１ｓ，１１ｂ１〜１１ｂｎおよび他の電流検出器１２ｂ１〜１２ｂｎについては、検出巻線５５および各二次巻線５４１〜５４ｎのうちの対応する巻線に装着し直す。具体的には、図２に示すように、電圧検出器１１ｓについては検出巻線５５に装着する。また、電圧検出器１１ｂ１〜１１ｂｎおよび電流検出器１２ｂ１〜１２ｂｎについては二次巻線５４１〜５４ｎにそれぞれ１個ずつ装着する。
【００４８】
これにより、電源ＰＳから一次巻線５３への交流入力信号の供給状態において、電圧検出器１１ａは、一次巻線５３間に生じる入力電圧Ｕａを検出して、この入力電圧Ｕａの電圧値に比例した電圧値の電圧信号を出力し、電流検出器１２ａは、一次巻線５３に流れる入力電流Ｉａを検出して、この入力電流Ｉａの電流値に比例した電圧値の電圧信号を出力する。また、電圧検出器１１ｓは、検出巻線５５間に生じる検出電圧Ｕｓを検出して、この検出電圧Ｕｓの電圧値に比例した電圧値の電圧信号を同時に出力する。また、電圧検出器１１ｂ１，１１ｂ２，・・・，１１ｂｋ，・・・，１１ｂｎおよび電流検出器１２ｂ１，１２ｂ２，・・・，１２ｂｋ，・・・，１２ｂｎは、二次巻線５４１，５４２，・・・，５４ｋ，・・・，５４ｎのうちの装着された二次巻線５４間に生じる出力電圧Ｕｂ１，Ｕｂ２，・・・，Ｕｂｋ，・・・，Ｕｂｎおよびこの二次巻線５４から対応する負荷ＬＤに出力される出力電流Ｉｂ１，Ｉｂ２，・・・，Ｉｂｋ，・・・，Ｉｂｎをそれぞれ検出して、この出力電圧Ｕｂ１〜Ｕｂｎの電圧値に比例した電圧値の電圧信号およびこの出力電流Ｉｂ１〜Ｉｂｎの電流値に比例した電圧値の電圧信号を同時に出力する。
【００４９】
続いて、測定者は、測定装置１に対する操作を行い、第２波形検出処理を実行する（ステップ６９）。この第２波形検出処理では、測定装置１は、（ｎ＋２）個の電圧検出器１１および（ｎ＋１）個の電流検出器１２から出力される各電圧信号の電圧波形を同時に取得して、電圧検出器１１ａから出力される電圧信号の電圧波形についての波形データに関しては、入力電圧Ｕａの電圧波形を示す電圧波形データとして電圧検出器１１ａに対応させて記憶し、電流検出器１２ａから出力される電圧信号の電圧波形についての波形データに関しては、入力電流Ｉａの電流波形を示す電流波形データとして電流検出器１２ａに対応させて記憶する。また、電圧検出器１１ｓから出力される電圧信号の電圧波形についての波形データに関しては、検出電圧Ｕｓの電圧波形を示す電圧波形データとして電圧検出器１１ｓに対応させて記憶する。
【００５０】
また、電圧検出器１１ｂ１〜１１ｂｎから出力される電圧信号の電圧波形についての波形データに関しては、出力電圧Ｕｂ１〜Ｕｂｎの各電圧波形を示す電圧波形データとして各電圧検出器１１ｂ１〜１１ｂｎに対応させて記憶し、電流検出器１２ｂ１〜１２ｂｎから出力される電圧信号の電圧波形についての波形データに関しては、出力電流Ｉｂ１〜Ｉｂｎの各電流波形を示す電流波形データとして各電流検出器１２ｂ１〜１２ｂｎに対応させて記憶する。これにより、第２波形検出処理が完了する。なお、測定装置１は、各電圧検出器１１および各電流検出器１２から出力される電圧信号については、上記した第２波形検出処理と同様にして、電圧波形データおよび電流波形データに変換するものとする。
【００５１】
次いで、測定者は、測定装置１に対する操作を行い、電圧波形補正処理（ステップ７０）と電流波形補正処理（ステップ７１）とを実行する。この電圧波形補正処理では、測定装置１は、第２波形検出処理において検出した各電圧波形のうちの基準電圧波形（この例では、入力電圧Ｕａの電圧波形）以外の各電圧波形（電圧検出器１１ａを除いた残りの電圧検出器１１ｓ，１１ｂ１〜１１ｂｎで検出された各電圧波形）を、対応する電圧検出器１１ｓ，１１ｂ１〜１１ｂｎでの電圧補正係数ｕｃｓ，ｕｃｂ１〜ｕｃｂｎおよび電圧位相補正値ｕｐｈｓ，ｕｐｈｂ１〜ｕｐｈｂｎで補正すると共に補正電圧波形として電圧検出器１１ｓ，１１ｂ１〜１１ｂｎに対応させて記憶する。なお、基準電圧波形である入力電圧Ｕａの電圧波形についてはそのままとする。
【００５２】
具体的には、測定装置１は、電圧検出器１１ｓ，１１ｂ１〜１１ｂｎで検出された各電圧波形についての電圧波形データに電圧補正係数ｕｃｓ，ｕｃｂ１〜ｕｃｂｎのうちの対応する電圧補正係数ｕｃを乗算する（例えば、電圧検出器１１ｓの各電圧波形データには電圧補正係数ｕｃｓを乗算し、電圧検出器１１ｂｋの各電圧波形データには電圧補正係数ｕｃｂｋを乗算する）ことにより、振幅（電圧値）について補正された電圧波形データを求める。また、さらに、この補正された電圧検出器１１ｓ，１１ｂ１〜１１ｂｎに関する電圧波形データに、対応する電圧位相補正値ｕｐｈｓ，ｕｐｈｂ１〜ｕｐｈｂｎを適用して時間軸に沿って個々に遅らせたり進ませたりすることにより、振幅および位相について補正された電圧波形データを求める。また、測定装置１は、このようにして求めた電圧検出器１１ｓ，１１ｂ１〜１１ｂｎに関する補正後の電圧波形データ、つまり、電圧検出器１１ｓ，１１ｂ１〜１１ｂｎで検出された各電圧波形についての補正電圧波形を示す補正電圧波形データを作成し、電圧検出器１１ｓ，１１ｂ１〜１１ｂｎに対応させて記憶する。
【００５３】
また、電流波形補正処理では、測定装置１は、第２波形検出処理において検出した各電流波形のうちの基準電流波形（この例では、入力電流Ｉａの電圧波形）以外の各電圧波形（電流検出器１２ａを除いた残りの電流検出器１２ｂ１〜１２ｂｎで検出された各電圧波形）を、対応する電流検出器１２ｂ１〜１２ｂｎでの電流補正係ｉｃｂ１〜ｉｃｂｎおよび電流位相補正値ｉｐｈｂ１〜ｉｐｈｂｎで補正すると共に補正電流波形として電流検出器１２ｂ１〜１２ｂｎに対応させて記憶する。なお、基準電流波形である入力電流Ｉａの電流波形についてはそのままとする。
【００５４】
具体的には、測定装置１は、電流検出器１２ｂ１〜１２ｂｎで検出された各電流波形についての電流波形データに電流補正係数ｉｃｂ１〜ｉｃｂｎのうちの対応する電流補正係数ｉｃを乗算する（例えば、電流検出器１２ｂｋの各電流波形データには電流補正係数ｉｃｂｋを乗算する）ことによって振幅（電流値）について補正し、さらにこれらの電流波形データに電流位相補正値ｉｐｈｂ１〜ｉｐｈｂｎを適用して時間軸に沿って遅らせたり進ませたりすることによって位相について補正することで、電流検出器１２ｂ１〜１２ｂｎで検出された各電流波形についての補正電流波形を示す補正電流波形データを作成し、電流検出器１２ｂ１〜１２ｂｎに対応させて記憶する。これにより、電圧波形補正処理および電流波形補正処理が完了する。
【００５５】
なお、以下では、電圧検出器１１ｓで検出された検出電圧Ｕｓについての電圧波形データを上記のようにして補正して得られる補正電圧波形データで表される補正電圧波形の電圧（つまり、上記のようにして振幅および位相について補正された検出電圧Ｕｓ）については、理解の容易にため、補正検出電圧Ｕｓｃと表記するものとする。また、電圧検出器１１ｂ１〜１１ｂｎで検出された出力電圧Ｕｂ１〜Ｕｂｎについての各電圧波形データを上記のようにして補正して得られる各補正電圧波形データで表される補正電圧波形の電圧（つまり、上記のようにして振幅および位相について補正された各出力電圧Ｕｂ１〜Ｕｂｎ）についても、同様にして、補正出力電圧Ｕｂｃ１〜Ｕｂｃｎと表記するものとする。また、電流検出器１２ｂ１〜１２ｂｎで検出された出力電流Ｉｂ１〜Ｉｂｎについての各電流波形データを上記のようにして補正して得られる各補正電流波形データで表される補正電流波形の電流（つまり、上記のようにして振幅および位相について補正された各出力電流Ｉｂ１〜Ｉｂｎ）についても、同様にして、補正出力電流Ｉｂｃ１〜Ｉｂｃｎと表記するものとする。
【００５６】
最後に、測定者は、測定装置１に対する操作を実行して、損失測定処理を実行する（ステップ７２）。この損失測定処理では、測定装置１は、第２波形検出処理において検出した基準電圧波形である入力電圧Ｕａの電圧波形（基準電圧検出器としての電圧検出器１１ａで検出された電圧波形）、第２波形検出処理において検出した基準電流波形である入力電流Ｉａの電流波形（基準電流検出器としての電流検出器１２ａで検出された電流波形）、電圧波形補正処理において基準電圧検出器である電圧検出器１１ａを除いた残りの電圧検出器１１ｓ，１１ｂ１〜１１ｂｎに対応させて記憶した補正電圧波形、および電流波形補正処理において基準電流検出器である電流検出器１２ａを除いた残りの電流検出器１１ｂ１〜１１ｂｎに対応させて記憶した補正電流波形に基づいて、トランス５１の全損Ｗｔ、鉄損Ｗｉおよび銅損Ｗｃを算出（測定）する。
【００５７】
具体的に説明すると、測定装置１は、入力電圧Ｕａの電圧波形についての電圧波形データおよび入力電流Ｉａの電流波形についての電流波形データに基づいて、一次巻線５３への入力電力Ｐｉ（＝Ｕａ×Ｉａ）を算出する。また、測定装置１は、各二次巻線５４１〜５４ｎについての補正電圧波形データおよび補正電流波形データに基づいて、各二次巻線５４１〜５４ｎから出力される個別出力電力Ｐｂ１（＝Ｕｂｃ１×Ｉｂｃ１）〜Ｐｂｎ（＝Ｕｂｃｎ×Ｉｂｃｎ）の総和（下記式の出力電力Ｐｏ）を算出する。
出力電力Ｐｏ＝Ｐｂ１＋・・・＋Ｐｂｋ＋・・・＋Ｐｂｎ
＝Σ［ｋ＝１→ｎ］（Ｕｂｃｋ×Ｉｂｃｋ）
また、測定装置１は、上記の入力電力Ｐｉと上記の出力電力Ｐｏとに基づいて、下記式の全損Ｗｔを算出して記憶する。
全損Ｗｔ＝Ｐｉ−Ｐｏ（＝Ｕａ×Ｉａ−Σ［ｋ＝１→ｎ］（Ｕｂｃｋ×Ｉｂｃｋ））
【００５８】
また、測定装置１は、入力電流Ｉａの電流波形についての電流波形データ、補正検出電圧Ｕｓｃの電圧波形についての電圧波形データ、各補正出力電流Ｉｂｃ１〜Ｉｂｃｎの電流波形についての電流波形データ、一次巻線５３の巻数Ｎａ、および各二次巻線５４１〜５４ｎの巻数Ｎｂ１〜Ｎｂｎを背景技術で説明した鉄損Ｗｉについての公知の算出式に適用することで、下記式の鉄損Ｗｉを算出して記憶する。
鉄損Ｗｉ＝（Ｎａ／Ｎｓ）×Ｕｓｃ×Ｉａ
−Σ［ｋ＝１→ｎ］｛（Ｎｂｋ／Ｎｓ）×Ｕｓｃ×Ｉｂｃｋ｝
また、上記の全損Ｗｔと上記の鉄損Ｗｉとに基づいて、下記式の銅損Ｗｃを算出して記憶する。これにより、損失測定処理が完了する。
銅損Ｗｃ＝全損Ｗｔ−鉄損Ｗｉ
【００５９】
このようにして、測定装置１のトランス５１の全損Ｗｔ、鉄損Ｗｉおよび銅損Ｗｃを算出して記憶するため、その後、測定者は、測定装置１に対する操作を実行して、記憶されている全損Ｗｔ、鉄損Ｗｉおよび銅損Ｗｃを表示装置に表示させることで、全損Ｗｔ、鉄損Ｗｉおよび銅損Ｗｃを測定することができる。
【００６０】
このように、このトランス損失測定方法では、まず、トランス５１の損失の測定に使用する（ｎ＋２）個の電圧検出器１１および（ｎ＋１）個の電流検出器１２について、トランス損失の測定に際して供給するのと同じ交流入力信号（入力電圧Ｕａおよび入力電流Ｉａ）を一次巻線５３に供給した状態において、この一次巻線５３および各二次巻線５４１〜５４ｎのうちのいずれか１つ（上記の例では一例として一次巻線５３）に生じる電圧波形および電流波形を各電圧検出器１１および各電流検出器１２で検出して、各電圧検出器１１から出力される電圧信号の振幅を揃える（基準電圧出器とした１つの電圧検出器１１（上記の例では電圧検出器１１ａ）の振幅に残りの電圧検出器１１の振幅を揃える）ための電圧補正係数ｕｃｓ，ｕｃｂ１〜ｕｃｂｎおよびこの電圧信号の位相を揃える（基準電圧検出器とした１つの電圧検出器１１の位相に残りの電圧検出器１１の位相を揃える）ための電圧位相補正値ｕｐｈｓ，ｕｐｈｂ１〜ｕｐｈｂｎを求めると共に、各電流検出器１２から出力される電圧信号の振幅を揃える（基準電流出器とした１つの電流検出器１２（上記の例では電流検出器１２ａ）の振幅に残りの電流検出器１２の振幅を揃える）ための電流補正係ｉｃｂ１〜ｉｃｂｎおよびこの電圧信号の位相を揃える（基準電流出器とした１つの電流検出器１２の位相に残りの電流検出器１２の位相を揃える）ための電流位相補正値ｉｐｈｂ１〜ｉｐｈｂｎを求める。
【００６１】
次いで、トランス損失の測定に際して、一次巻線５３および各二次巻線５４１〜５４ｎに装着された各電圧検出器１１および各電流検出器１２で検出された電圧波形および電流波形のうちの基準電圧検出器とした電圧検出器１１ａを除いた残りの電圧検出器１１で検出された電圧波形に対して電圧補正係数ｕｃｓ，ｕｃｂ１〜ｕｃｂｎおよび電圧位相補正値ｕｐｈｓ，ｕｐｈｂ１〜ｕｐｈｂｎを適用し補正して補正電圧波形を求め、また基準電流検出器とした電流検出器１２ａを除いた残りの電流検出器１２で検出された電流波形に対して電流補正係ｉｃｂ１〜ｉｃｂｎおよび電流位相補正値ｉｐｈｂ１〜ｉｐｈｂｎを適用し補正して補正電流波形を求め、このようにして求めた各補正電圧波形および各補正電流波形と、基準電圧検出器とした１つの電圧検出器１１ａで検出された電圧波形と、基準電流検出器とした１つの電流検出器１２ａで検出された電流波形とに基づいて、トランス５１の全損Ｗｔ、鉄損Ｗｉおよび銅損Ｗｃを測定する。
【００６２】
したがって、この測定装置１（トランス損失測定装置）およびトランス損失測定方法によれば、各電圧検出器１１の振幅および位相を揃えず、かつ各電流検出器１２の振幅および位相も揃えない状態で測定されるトランス５１の全損Ｗｔ、鉄損Ｗｉおよび銅損Ｗｃよりも、全損Ｗｔ、鉄損Ｗｉおよび銅損Ｗｃについての測定精度をより向上させることができる。
【００６３】
なお、上記のトランス損失測定装置およびトランス損失測定方法では、トランス５１の磁気コア５２に検出巻線５５を施すと共に、（ｎ＋２）個の電圧検出器１１および（ｎ＋１）個の電流検出器１２を用いて、トランス損失としてトランス５１の全損Ｗｔ、鉄損Ｗｉおよび銅損Ｗｃを測定しているが、トランス５１の磁気コア５２に検出巻線５５を施さずに、一次巻線５３およびｎ個の二次巻線５４と同数（つまり（ｎ＋１）個）の電流検出器１２および電圧検出器１１を用いて、トランス損失としてトランス５１の全損Ｗｔだけを測定する際にも、上記した第１波形検出処理、電圧補正係数算出処理、電流補正係数算出処理、電圧位相補正値算出処理、電流位相補正値算出処理、第２波形検出処理、電圧波形補正処理、および電流波形補正処理を適用することができる。この場合、損失測定処理では、第２波形検出処理において基準電圧検出器で検出された電圧波形、第２波形検出処理において基準電流検出器で検出された電流波形、電圧波形補正処理で残りの電圧検出器に対応させて記憶した補正電圧波形、および電流波形補正処理で残りの電流検出器に対応させて記憶した補正電流波形に基づいて、トランス５１についての全損Ｗｔを測定する。
【００６４】
したがって、このトランス損失測定装置およびトランス損失測定方法によれば、各電圧検出器１１の振幅および位相を揃えず、かつ各電流検出器１２の振幅および位相も揃えない状態で測定されるトランス５１の全損Ｗｔよりも、全損Ｗｔについての測定精度をより向上させることができる。
【００６５】
また、上記の例では、測定装置１と電源ＰＳとを別体としているが、測定装置１に電源ＰＳを含めて全体として測定装置としてもよいのは勿論である。
【符号の説明】
【００６６】
１  測定装置
１１ａ，１１ｓ，１１ｂ１〜１１ｂｎ  電圧検出器
１２ａ，１２ｂ１〜１２ｂｎ  電流検出器
５１  トランス
５２  磁気コア
５３  一次巻線
５４１〜５４ｎ  二次巻線
５５  検出巻線
ｉｃｂ１〜ｉｃｂｎ  電流補正係数
ｉｐｈｂ１〜ｉｐｈｂｎ  電流位相補正値
ｕｃｓ，ｕｃｂ１〜ｕｃｂｎ  電圧補正係数
ｕｐｈｓ，ｕｐｈｂ１〜ｕｐｈｂｎ  電圧位相補正値
Ｗｔ  全損
Ｗｃ  銅損
Ｗｉ  鉄損
【図１】
2018194421.tif 000003
【図２】
2018194421.tif 000004
【図３】
2018194421.tif 000005